(57)【要約】【課題】装置内部で熱せられた空気を装置外部に効率よく排気することで、装置内部の温度上昇を暖和し、光ディスク装置の小型化を図る。【解決手段】光ディスク装置１において、光ディスク１１上に設けられ、ターンテーブル３に対応する前記光ディスク１１部分を固定するディスク押さえ面２９と、ディスク押さえ面の反対側に開口を有する気流発生室３３と、気流発生室３３内にあって回転シャフト５に対して斜めに傾けて設けられた複数の羽根３７と、気流発生室３３の外周側壁３３Ｂの外側から気流発生室３３内に通じるべく外周側壁３３Ｂに貫通して設けられた複数の吸気穴３９とを有し、回転シャフト５の回転と共に回転するクランパー２７と、気流発生室３３に設けられ、気流発生室３３で発生した気流を排気する複数の排気穴４７を有するカバー部材４５と、からなる。【選択図】図１
2009093759.tif 000002
【特許請求の範囲】
【請求項１】
ベース部材に固定され、このベース部材に対して垂直方向に凹部を有する軸受部と、前記凹部内に収納され、一端が前記凹部の底部に回転可能に取り付けられた回転シャフトと、この回転シャフトの他端に嵌合する中心孔を有した光ディスクを装着するターンテーブルとからなる光ディスク装置であって、
前記光ディスク上に設けられ、前記ターンテーブルに対応する前記光ディスク部分を固定するディスク押さえ面と、このディスク押さえ面の反対側に開口を有する気流発生室と、この気流発生室内にあって前記回転シャフトに対して斜めに傾けて設けられた複数の羽根と、前記気流発生室の外周側壁の外側から前記気流発生室内に通じるべく前記外周側壁に貫通して設けられた複数の吸気穴とを有し、前記回転シャフトの回転と共に回転するクランパーと、前記気流発生室に設けられ、前記気流発生室で発生した気流を排気する複数の排気穴を有するカバー部材と、
からなることを特徴とする光ディスク装置。
【請求項２】
前記複数の各羽根は、前記クランパーの回転面に垂直な方向に対して３０°〜６０°の傾斜角を有していることを特徴とする請求項１記載の光ディスク装置。
【発明の詳細な説明】
【技術分野】
【０００１】
この発明は、光ディスク装置に関し、特に、ビデオディスク、コンパクトディスク、光磁気ディスクなどの光ディスクから情報読み込みを行い、あるいは前記光ディスクヘ情報書き込みを行う光ディスク装置に関するものである。
【背景技術】
【０００２】
近年、コンピュ−タの周辺機器などとして光ディスク装置が多く用いられている。図５を参照するに、従来の光ディスク装置１０１としては、例えば特許文献１に該当しており、樹脂材料からなる円盤状のターンテーブル１０３が回転シャフト１０５（モータシャフト）に固定されており、回転シャフト１０５を介して強磁性体材料からなるベース部材１０７に立設された軸受部１０９に回転可能に軸承されている。また、ターンテーブル１０３の上面には回転駆動の対象となる光ディスク１１１を装着するディスク装着面１１３を有している。また、ターンテーブル１０３の上面の回転中央部には吸着マグネット１１５が固定されている。また、ターンテーブル１０３の外周側面には、図５に示されているように、多数の羽根１１７が設けられている。
【０００３】
一方、ターンテーブル１０３の下面にはドーナツ形円盤状のヨーク１１９が回転シャフト１０５の周囲に配置された状態で一体成形されている。ヨーク１１９の下面には、スピンドルマグネット１２１が吸着されてターンテーブル１０３と共に回転する構成である。なお、スピンドルマグネット１２１は厚み方向に磁化され、かつ円周方向に磁化方向が分割されている。
【０００４】
また、ベース部材１０７には、ターンテーブル１０３を回転駆動するための駆動コイル１２３がスピンドルマグネット１２１と対向する位置に設けられている。駆動コイル１２３はベース部材１０７に貼り付けられたフレキ１２５によって通電されている。
【０００５】
また、ターンテーブル１０３のディスク装着面１１３に装着された光ディスク１１１は、円盤状のクランパー１２７とディスク装着面１１３との間に挟み込まれている。クランパー１２７は、光ディスク１１１を介してターンテーブル１０３のディスク装着面１１３に対向配置したディスク押さえ面１２９と、このディスク押さえ面１２９の反対側に、つまり図５において上方に形成される開口１３１を有する気流発生室１３３とを有して、全体的に例えば円盤状をなしている。すなわち、クランパー１２７内の気流発生室１３３は、円形状の底部１３３Ａと、この底部１３３Ａの外周に一体的に立設した外周側壁１３３Ｂとで形成されている。クランパー１２７内の気流発生室１３３の底部１３３Ａの中央部には、ターンテーブル１０３の吸着マグネット１１５と対向するように、強磁性体材料からなるクランパープレート１３５が取り付けられている。
【０００６】
さらに、気流発生室１３３の内部には、複数の各羽根１３７がクランパー１２７の回転面に垂直な方向に向けて外周側壁１３３Ｂの内側に設けられている。また、クランパー１２７の気流発生室１３３の開口１３１の外側にはつば状の外フランジ部１３９が設けられている。
【０００７】
また、クランパー１２７の外周側にはクランパー保持部材１４１が昇降自在に設けられており、クランパー保持部材１４１が外フランジ部１３９の下部に係合してクランパー１２７を保持する構成であり、クランパー保持部材１４１が昇降することで、前記クランパー１２７が昇降し、ターンテーブル１０３から接離することになる。
【０００８】
上記構成の従来の光ディスク装置１０１は、光ディスク１１１をターンテーブル１０３のディスク装着面１１３にセットし、図示しない昇降機構によりクランパー保持部材１４１を下降動作させることで、クランパー１２７をターンテーブル１０３に近づけると、ターンテーブル１０３の吸着マグネット１１５とクランパー１２７のクランパープレート１３５が磁化作用により互いに吸引し、光ディスク１１１はターンテーブル１０３とクランパー１２７との間に挟み込まれる。
【０００９】
この状態で駆動コイル１２３に通電すると、駆動コイル１２３の電流方向とスピンドルマグネット１２１およびヨーク１１９とベース部材１０７で構成される磁気回路により、フレミングの法則に従ってターンテーブル１０３に回転力が作用し、所謂、スピンドルモータが回転し、ターンテーブル１０３と光ディスク１１１およびクランパー１２７が同期回転する。
【００１０】
そして、光ディスク１１１と共に同期回転するターンテーブル１０３の外周側面の羽根１１７およびクランパー１２７の内部の羽根１３７の回転により風の流れが生じる。この風により、駆動コイル１２３および吸着マグネット１１５の温度上昇が緩和されると共に、光ディスク１１１の回転に伴う風の流れと相まって装置内部の温度上昇が緩和される。
【特許文献１】特開平８−２８７５６７号公報
【発明の開示】
【発明が解決しようとする課題】
【００１１】
近年、光ディスク装置１０１に対して小型化の要望が高まり、装置内部の温度上昇は、ますます過酷な状態にある。
【００１２】
ところが、前述した従来の光ディスク装置１０１の構成では、駆動コイル１２３に通電を続けると、駆動コイル１２３の温度上昇によりスピンドルモータの効率が低下するという問題点があった。つまり、ターンテーブル１０３の外周側面の羽根１１７およびクランパー１２７の内部の羽根１３７の回転による風では上記の温度上昇を暖和することが難しくなっている。
【００１３】
したがって、上記の温度上昇の熱はターンテーブル１０３に設けられた吸着マグネット１１５に伝わり、その温度上昇により吸着マグネット１１５が減磁し、クランパー１２７に設けたクランパープレート１３５との吸着力が低下し、光ディスク１１１の保持力が不十分になるという問題点があった。
【００１４】
さらに、光ディスク１１１の直近に位置する図示しない光ピックアップ内にはレーザーダイオード等の発光素子が内蔵されているが、この発光素子の寿命は温度の上昇に対して大きく依存しているため、高温で使用すると寿命が短くなるという問題があった。
【００１５】
この発明は、光ディスク装置の内部の空気を撹拌することや、ＬＳＩ等の電気発熱部品による装置内部の熱せられた空気を装置外部に効率よく排気することによって、装置内部の温度上昇を緩和し、装置の小型化を図ることができる光ディスク装置を提供することを目的とする。
【課題を解決するための手段】
【００１６】
上記の課題を解決するために、この発明の光ディスク装置は、ベース部材に固定され、このベース部材に対して垂直方向に凹部を有する軸受部と、前記凹部内に収納され、一端が前記凹部の底部に回転可能に取り付けられた回転シャフトと、この回転シャフトの他端に嵌合する中心孔を有した光ディスクを装着するターンテーブルとからなる光ディスク装置であって、
前記光ディスク上に設けられ、前記ターンテーブルに対応する前記光ディスク部分を固定するディスク押さえ面と、このディスク押さえ面の反対側に開口を有する気流発生室と、この気流発生室内にあって前記回転シャフトに対して斜めに傾けて設けられた複数の羽根と、前記気流発生室の外周側壁の外側から前記気流発生室内に通じるべく前記外周側壁に貫通して設けられた複数の吸気穴とを有し、前記回転シャフトの回転と共に回転するクランパーと、前記気流発生室に設けられ、前記気流発生室で発生した気流を排気する複数の排気穴を有するカバー部材と、
からなることを特徴とするものである。
【００１７】
また、この発明の光ディスク装置は、前記光ディスク装置において、前記複数の各羽根は、前記クランパーの回転面に垂直な方向に対して３０°〜６０°の傾斜角を有していることが好ましい。
【発明の効果】
【００１８】
以上のごとき課題を解決するための手段から理解されるように、この発明によれば、光ディスクと同期回転するクランパーの内部に備えた気流発生室の内部に、複数の羽根をクランパーの回転面に垂直な方向に対して斜めに傾けて設け、クランパーの外側から気流発生室内に通じるべくクランパーに複数の吸気穴を設け、クランパーの外側に位置するカバー部材に排気穴を設けたので、光ディスク装置の内部の熱せられた空気が前記複数の吸気穴からクランパーの気流発生室の内部へ吸引され、この空気が前記複数の羽根により気流発生室の開口へ流され、カバー部材の排気穴から装置外部へ効率よく排気される。その結果、駆動コイル、吸着マグネットおよび光ピックアップ内のレーザーダイオード等の各部材の温度上昇を効率よく緩和することができ、各部材の特牲劣化を防ぐことができる。また、上記の気流発生室の複数の羽根の回転による風の流れにより、光ディスクの回転による風の流れと相まって、光ディスク装置の内部の温度上昇も緩和することができる。その結果として、光ディスク装置を小型化することを可能にする。
【発明を実施するための最良の形態】
【００１９】
以下、この発明の実施の形態について図面を参照して説明する。
【００２０】
図１及び図２を参照するに、この実施の形態に係る光ディスク装置１としては、樹脂材料からなる円盤状のターンテーブル３の上面に形成された中心孔３Ｃに回転シャフト５が嵌合して固定されており、回転シャフト５（モータシャフト）は、強磁性体材料からなるベース部材７に立設された軸受部９内に設けられた凹部９Ａに回転可能に軸承されている。また、ターンテーブル３の上面には回転駆動の対象となる光ディスク１１を装着するディスク装着面１３を有している。また、ターンテーブル３の上面の回転中央部には吸着マグネット１５が固定されている。また、ターンテーブル３の外周側面には、図１及び図３に示されているように、多数の羽根１７が設けられている。
【００２１】
一方、ターンテーブル３の下面にはドーナツ形円盤状のヨーク１９が回転シャフト５の周囲に配置された状態で一体成形されている。ヨーク１９の下面には、スピンドルマグネット２１が吸着されてターンテーブル３と共に回転する構成である。なお、スピンドルマグネット２１は厚み方向に磁化され、かつ円周方向に磁化方向が分割されている。
【００２２】
また、ベース部材７には、ターンテーブル３を回転駆動するための駆動コイル２３がスピンドルマグネット２１と対向する位置に設けられている。駆動コイル２３は前記ベース部材７に貼り付けられたフレキ２５によって通電されている。
【００２３】
また、ターンテーブル３のディスク装着面１３に装着された光ディスク１１は、例えば円盤状のクランパー２７とディスク装着面１３との間に挟み込まれている。
【００２４】
クランパー２７は、光ディスク１１を介してターンテーブル３のディスク装着面１３に対向配置したディスク押さえ面２９と、このディスク押さえ面２９の反対側に、つまり図１において上方に形成される開口３１を有する気流発生室３３とを設けて、全体的に例えば円盤状をなしている。すなわち、クランパー２７内の気流発生室３３は、円形状の底部３３Ａと、この底部３３Ａの外周に一体的に立設した外周側壁３３Ｂとで形成されている。また、クランパー２７内の気流発生室３３の底部３３Ａの中央部には、ターンテーブル３の吸着マグネット１５と対向するように、強磁性体材料からなるクランパープレート３５が取り付けられている。
【００２５】
さらに、気流発生室３３の内部には、図１、図３及び図４に示されているように、複数の各羽根３７がクランパー２７の回転面に垂直なＺ軸方向に対して傾斜角θで斜めに傾けて外周側壁３３Ｂの円周をほぼ等間隔で内側に設けられている。より詳しくは、複数の各羽根３７の傾斜角θは、３０°〜６０°の範囲にあることが、クランパー２７の気流発生室３３の内部の空気を開口３１の方向に効率よく流れるようにするという点で望ましい。この実施の形態では各羽根３７の傾斜角θは４５°としている。
【００２６】
ちなみに、従来のように複数の各羽根３７がクランパー２７の回転面に垂直なＺ軸方向に向けられている場合は、クランパー２７の内部の空気を撹拌する作用はあるが、クランパー２７内の気流発生室３３の内部の空気を開口３１の方向へ流す作用の点では不十分である。
【００２７】
また、クランパー２７内の気流発生室３３の外周側壁３３Ｂには、適宜な間隔でクランパー２７の外側の空気を気流発生室３３の内部へ吸引するための複数の吸気穴３９が貫通して設けられている。また、クランパー２７内の気流発生室３３の開口３１の外側にはつば状の外フランジ部４１が設けられている。
【００２８】
また、クランパー２７の外周側にはクランパー保持部材４３が昇降自在に設けられており、クランパー保持部材４３がクランパー２７の外フランジ部４１の下部に係合してクランパー２７を保持する構成であり、クランパー保持部材４３が昇降することで、前記クランパー２７が昇降し、ターンテーブル３から接離することになる。
【００２９】
また、クランパー２７の外側には、つまり、クランパー２７及びクランパー保持部材４３の図１において上方には、間隔を介して覆うカバー部材としての例えばトップカバー４５が設けられており、図１及び図２に示されているように、トップカバー４５にはクランパー２７と対応する位置でクランパー２７の内部の空気を排気するための排気穴としての例えば複数のスリット４７が設けられている。なお、上記の排気穴としては、複数のスリット４７だけでなく、多数の穴部やルーバー、あるいは他の形態の排気穴でも良いものである。
【００３０】
上記構成により、この実施の形態の光ディスク装置１の作用について説明すると、光ディスク１１をターンテーブル３のディスク装着面１３にセットし、図示しない昇降機構によりクランパー保持部材４３を下降動作させることで、クランパー２７をターンテーブル３に近づけると、ターンテーブル３の吸着マグネット１５とクランパー２７のクランパープレート３５が磁化作用により互いに吸引し、光ディスク１１はターンテーブル３のディスク装着面１３とクランパー２７のディスク押さえ面２９との間に挟み込まれて固定される。
【００３１】
この状態で駆動コイル２３に通電すると、駆動コイル２３の電流方向とスピンドルマグネット２１およびヨーク１９とベース部材７で構成される磁気回路により、フレミングの法則に従ってターンテーブル３に回転力が作用し、所謂、スピンドルモータが回転し、ターンテーブル３と光ディスク１１およびクランパー２７が同期回転する。
【００３２】
そして、上記のようにターンテーブル３が光ディスク１１と同期回転すると、ターンテーブル３の外周側面の羽根１７の回転により、ターンテーブル３の下面に風の流れを作ることができるので、駆動コイル２３の温度上昇を防ぐことができ、駆動コイル２３の温度上昇によるスピンドルモータの損失を少なくすることができる。
【００３３】
また、クランパー２７内の気流発生室３３の底部３３Ａの中央部に設けたクランパープレート３５の周りには、複数の各羽根３７がクランパー２７の回転面に垂直なＺ軸方向に対して傾斜角θで斜めに傾いて気流発生室３３に設けられているので、気流発生室３３の羽根３７の回転により、クランパー２７内の気流発生室３３の内部の空気流は開口３１の方向へ、つまり図１において上方へ流れることになる。
【００３４】
したがって、ターンテーブル３の外周側面の羽根１７により撹拌されたクランパー２７の外部の空気や、光ディスク装置１の内部の上部に溜まった熱せられた空気は、クランパー２７の気流発生室３３の外周側壁３３Ｂに貫通して設けられた複数の吸気穴３９から気流発生室３３の内部に吸引されてから、気流発生室３３の上部に配置されたスリット４７に向かって風の流れが生じる。この空気流によりクランパー２７の気流発生室３３の内部のクランパープレート３５を冷却することができ、さらに光ディスク装置１の内部の熱せられた空気をトップカバー４５のスリット４７から装置外部に効率よく排気することができる。
【００３５】
以上のことから、この実施の形態の光ディスク装置１においては、磁力作用によりクランパープレート３５と吸着する吸着マグネット１５の温度上昇を緩和することができるので、温度上昇による吸着マグネット１５の吸着力の低下を防止することができる。
【００３６】
また、光ディスク１１の回転に伴う風の流れと相まって、光ディスク装置１の内部の熱せられた空気を装置外部に排気することによって、駆動コイル２３、光ピックアップ内のレーザーダイオード等の各部材の温度上昇および光ディスク装置１の内部の温度上昇も効率よく緩和することができ、各部材の特牲劣化を防ぐことができる。その結果として、光ディスク装置１を小型化することを可能にする。
【図面の簡単な説明】
【００３７】
【図１】この発明の実施の形態の光ディスク装置の要部断面図である。
【図２】図１の上方から視たトップカバーの部分的な平面図である。
【図３】図１のターンテーブルとクランパーの斜視図である。
【図４】図１のクランパーの内部に設けた羽根の傾斜角θを示す概略説明図である。
【図５】従来の光ディスク装置の要部断面図である。
【符号の説明】
【００３８】
１  光ディスク装置
３  ターンテーブル
５  回転シャフト（モータシャフト）
７  ベース部材
１１  光ディスク
１３  ディスク装着面
１５  吸着マグネット
１７  羽根（ターンテーブル３の）
１９  ヨーク
２１  スピンドルマグネット
２３  駆動コイル
２７  クランパー
２９  ディスク押さえ面
３１  開口
３３  気流発生室
３３Ａ  底部
３３Ｂ  外周側壁
３５  クランパープレート
３７  羽根（気流発生室３３の）
３９  吸気穴
４５  トップカバー（カバー部材）
４７  スリット（排気穴）
θ  羽根３７の傾斜角
Ｚ軸方向  クランパー２７の回転面に垂直な方向
【図１】
2009093759.tif 000003
【図２】
2009093759.tif 000004
【図３】
2009093759.tif 000005
【図４】
2009093759.tif 000006
【図５】
2009093759.tif 000007